(57)【特許請求の範囲】
【請求項１】
（Ａ）５−クロロ−２−メチル−４−イソチアゾリン−３−オン、（Ｂ）カチオン界面活性剤、および（Ｃ）水を含有することを特徴とするコンベア用除菌性潤滑剤組成物であって、前記（Ｂ）成分のカチオン界面活性剤が、アルキルジメチルベンジルアンモニウムクロライド、ジデシルジメチルアンモニウムクロライド、ジデシルジメチルアンモニウムアジペート、ジデシルジメチルアンモニウムグルコネート、ジデシルモノメチルハイドロキシエチルアンモニウムクロライド、ジデシルモノメチルハイドロキシエチルアンモニウムアジペート、ジデシルモノメチルハイドロキシエチルアンモニウムグルコネート、ジデシルモノメチルハイドロキシエチルアンモニウムスルホネート、ジデシルジメチルアンモニウムプロピオネート、１，４−ビス（３，３’−（１−デシルピリジニウム）メチルオキシ）ブタンジブロマイド、Ｎ，Ｎ’−ヘキサメチレンビス（４−カルバモイル−１−デシルピリジニウムブロマイド）、アルキルジメチルハイドロキシエチルアンモニウムクロライド、アルキルトリメチルアンモニウムクロライド、塩化セチルピリジニウム、アルキルジメチルエチルベンジルアンモニウムクロライド、デシルイソノニルジメチルアンモニウムクロライド、ジオクチルジメチルアンモニウムクロライド、オクチルデシルジメチルアンモニウムクロライド、ジデシルメチルポリオキシエチレンアンモニウムプロピオネート、およびベンゼトニウムクロライドから選ばれる第四級アンモニウム塩、ポリヘキサメチレンビグアナイドハイドロクロライド、ポリヘキサメチレングアニジンホスフェート、ポリヘキサメチレングアニジンクロライド、グルコン酸クロルヘキシジンのグアニジン系カチオン界面活性剤、ヘキサデシルトリブチルフォスフォニウム、アルキルジアミン又はその塩から選ばれる少なくとも一種であることを特徴とするコンベア用除菌性潤滑剤組成物。
【請求項２】
上記コンベア用除菌性潤滑剤組成物中における（Ａ）成分と（Ｂ）成分との有効成分量の重量比が、（Ａ）：（Ｂ）＝１：２５０００〜２０：１であることを特徴とする請求項１に記載のコンベア用除菌性潤滑剤組成物。
【請求項３】
更に、（Ｄ）ノニオン界面活性剤、（Ｅ）両性界面活性剤および（Ｆ）アニオン界面活性剤から選ばれる少なくとも一種の界面活性剤を含有することを特徴とする請求項１または２に記載のコンベア用除菌性潤滑剤組成物。
【請求項４】
上記（Ｄ）成分のノニオン界面活性剤が、ポリオキシアルキレンアルキルエーテル、ポリオキシアルキレン脂肪酸エステル、ポリオキシエチレンとポリオキシプロピレンとのブロックコポリマーおよびポリオキシアルキレンスチレン化フェニルエーテルから選ばれる少なくとも一種であることを特徴とする請求項３に記載のコンベア用除菌性潤滑剤組成物。
【請求項５】
上記（Ｅ）成分の両性界面活性剤が、アルキルベタイン、アルキルアミドプロピルベタイン、２−アルキル−Ｎ−カルボキシメチルイミダゾリニウムベタイン、２−アルキル−Ｎ−カルボキシエチルイミダゾリニウムベタイン、アルキルアミノエチルグリシン、アルキルジ（アミノエチル）グリシン、グリシンｎ−（３−アミノプロピル）Ｃ１０〜１６誘導体、アルキルポリアミノエチルグリシン、アルキルβアラニン、アルキルアミノプロピオン酸及びまたはその塩、およびアルキルアミドジメチルハイドロキシプロピルスルホベタインから選ばれる少なくとも一種であることを特徴とする請求項３または４に記載のコンベア用除菌性潤滑剤組成物。
【請求項６】
上記（Ｆ）成分のアニオン界面活性剤が、下記一般式（１）〜（４）の群から選択された少なくとも一種以上のアニオン界面活性剤から選ばれることを特徴とする請求項３〜５のいずれか一項に記載のコンベア用除菌性潤滑剤組成物。
【化１】
0005420217.tif 000040
【化２】
0005420217.tif 000041
【化３】
0005420217.tif 000042
ただし一般式（１）〜（３）のうち、ＲはＣ３〜Ｃ２０のアルキル基またはアルケニル基。Ｒ’はＣ１〜Ｃ４のアルキル基。ｎは１〜８の整数。ｍは１〜２の整数。Ｍは水素、アルカリ金属、アミンまたはアルカノールアミンであり、ＡＯはエチレンオキサイド、プロピレンオキサイドまたはブチレンオキサイドである。
【化４】
0005420217.tif 000043
ただし一般式（４）のＲはＣ３〜Ｃ２０のアルキル基またはアルケニル基。ｍ，ｎは１〜２の整数。Ｍは水素、アルカリ金属、アミンまたはアルカノールアミンである。
【請求項７】
上記（Ｂ）カチオン界面活性剤〔Ｘ〕と、（Ｄ）ノニオン界面活性剤、（Ｅ）両性界面活性剤、（Ｆ）アニオン界面活性剤から選ばれる少なくとも一種の界面活性剤〔Ｙ〕との配合割合が有効成分量の重量比で、〔Ｘ〕：〔Ｙ〕＝１：１０００〜２００：１であることを特徴とする請求項３〜６のいずれか一項に記載のコンベア用除菌性潤滑剤組成物。
【請求項８】
さらに、（Ｇ）可溶化剤を含有することを特徴とする請求項１〜７のいずれか一項に記載のコンベア用除菌性潤滑剤組成物。
【請求項９】
上記（Ｇ）成分が、キシレンスルホン酸、キシレンスルホン酸ナトリウム、キシレンスルホン酸カリウム、トルエンスルホン酸、トルエンスルホン酸ナトリウム、トルエンスルホン酸カリウム、安息香酸、安息香酸ナトリウム、安息香酸カリウム、クメンスルホン酸、クメンスルホン酸ナトリウム、クメンスルホン酸カリウム、エチレングリコール、ジエチレングリコール、トリエチレングリコール、プロピレングリコール、ジプロピレングリコール、トリプロピレングリコール、ヘキシレングリコール、イソプレングリコール、グリセリン、１，３−ブチレングリコール、１，４−ブチレングリコール、ポリプロピレングリコール、ポリエチレングリコール、エチルアルコール、イソプロピルアルコールから選ばれる少なくとも一種である請求項８に記載のコンベア用除菌性潤滑剤組成物。
【請求項１０】
カチオン界面活性剤に対し抵抗性を持つ菌、セラチア属の細菌、アルカリゲネス属の細菌、シュードモナス属の細菌、バークホルデリア属の細菌、アクロモバクター属の細菌、エンテロバクター属の細菌、フラボバクテリウム属の細菌、アシネトバクター属の細菌、及びプロテウス属の細菌を除菌又は発育阻止するために用いられることを特徴とする請求項１〜９のいずれか一項に記載のコンベア用除菌性潤滑剤組成物。
【請求項１１】
前記請求項１〜１０のいずれか一項に記載の上記コンベア用除菌性潤滑剤組成物を、水または湯を用いて原液〜１０００倍に希釈した潤滑剤希釈液をコンベア上に供給、噴霧または塗布して容器の搬送移動に用いるコンベア用除菌性潤滑剤組成物の使用方法。
【発明の詳細な説明】
【技術分野】
【０００１】
関連出願
本出願は、日本特許出願第２００７−２４９８９１号（２００７年９月２６日出願）に基づく優先権を主張する。この出願の開示は、図面および表を含め、すべて参照により本明細書に取り込まれる。
【０００２】
技術分野
本発明は、ビール、酒、お茶、コーヒー、紅茶、乳飲料、清涼飲料、調味料、加工食品等（以下、「飲食料品等」という）の製造工程、充填工程等において、ガラス壜、紙製容器、ポリアルキレンテレフタレート容器及びアルミニウム缶、スチール缶等の移動搬送の際に用いられるコンベア用の除菌性潤滑剤組成物及びその使用方法に関するものである。さらに詳しくは、潤滑性、洗浄性に優れるとともに、一般細菌はもとより、特にカチオン界面活性剤に対して抵抗性を持つ菌への除菌効果又は抑制効果にも優れるコンベア用除菌性潤滑剤組成物およびその使用方法に関する。
【背景技術】
【０００３】
現在、上記飲食料品を製造・充填等する食品製造施設で使用される潤滑剤としては、微生物対策を目的としてカチオン界面活性剤の殺菌剤を含有しているものが多く使われている。
【０００４】
例えば、特開平１−９６２９４号公報には高級脂肪酸石鹸を主成分とし、これに必要に応じて、殺菌性を有するカチオン界面活性剤、非イオン界面活性剤等を配合した潤滑剤組成物が開示されている（特許文献１を参照）。
【０００５】
しかし、こうした脂肪酸石鹸を主剤とした潤滑剤は使用水の硬度成分によってはスケールを生成し、このスケールがコンベア表面上に蓄積して潤滑性を低下せしめるという問題や、このスケールに微生物（菌）が発生するという問題や、このスケールによって潤滑剤供給用ノズルが詰まるという問題も発生する。このため、特開平２−９７５９２号公報には、特定のアニオン界面活性剤と殺菌性第四級アンモニウム型カチオン界面活性剤とからなる、ビン、缶類の移動の為の殺菌性潤滑剤組成物が開示されている（特許文献２を参照）。
【０００６】
また、特表２０００−５０６１９２号公報には、１つ以上のジアミン化合物及び１つ以上の第四アンモニウム化合物、またはその可溶性塩を含む、潤滑剤濃縮組成物が開示されている（特許文献３を参照）。
【０００７】
しかし、こうした潤滑剤組成物の改良がなされてはいるものの、微生物対策として用いているカチオン界面活性剤に対する抵抗性菌が出現することによりコンベア上を汚染しているのが現状である。また、食品製造施設のコンベアにおいて、そのようなカチオン界面活性剤に対する抵抗性のある微生物や馴化した微生物が繁殖し、それらが食品中に混入した場合、製品価値を失い、大きな経済的損失を招くおそれがあった。カチオン系界面活性剤に抵抗性のある菌としては、セラチア属の細菌、アルカリゲネス属の細菌、シュードモナス属の細菌、バークホルデリア属の細菌、アクロモバクター属の細菌、エンテロバクター属の細菌、フラボバクテリウム属の細菌、アシネトバクター属の細菌、及びプロテウス属の細菌が検出されたことが報告されている（非特許文献１）。
【０００８】
このため、カチオン界面活性剤に対する抵抗制菌を制御する方法として、塩素系除菌剤、過酢酸系除菌剤を用いて定期的に除菌作業をしているのが現状である。しかし、そのような作業には非常に手間が掛かるため、カチオン抵抗性菌を除菌又は抑制できる効果を有するコンベア用潤滑剤の開発が要望されている。さらに、塩素系除菌剤や過酢酸系除菌剤は、抵抗性菌を発生させにくいものの、臭気や腐食性が問題となっており、低臭で腐食性のないものが求められている。
【特許文献１】特開平１−９６２９４号公報
【特許文献２】特開平２−９７５９２号公報
【特許文献３】特表２０００−５０６１９２号公報
【非特許文献１】誰でもわかる抗菌の基礎知識  ２６９ｐ  株式会社テクノシステム発行  １９９９年発刊
【発明の開示】
【発明が解決しようとする課題】
【０００９】
本発明の課題は、カチオン界面活性剤に対し抵抗性を持つ菌に対して除菌又は抑制効果があり、除菌力に優れたコンベア用除菌性潤滑剤組成物を提供することにある。
【課題を解決するための手段】
【００１０】
本発明者は、上記目的を達成するため鋭意検討をおこなった結果、５−クロロ−２−メチル−４−イソチアゾリン−３−オンとカチオン界面活性剤を併用することにより上記課題の解決に至った。
【００１１】
すなわち、本発明は、（Ａ）５−クロロ−２−メチル−４−イソチアゾリン−３−オン、（Ｂ）カチオン界面活性剤、および（Ｃ）水を含有するコンベア用除菌性潤滑剤組成物を第１の要旨とする。
【００１２】
また上記（Ｂ）成分のカチオン界面活性剤が、アルキルジメチルベンジルアンモニウムクロライド、ジデシルジメチルアンモニウムクロライド、ジデシルジメチルアンモニウムアジペート、ジデシルジメチルアンモニウムグルコネート、ジデシルモノメチルハイドロキシエチルアンモニウムクロライド、ジデシルモノメチルハイドロキシエチルアンモニウムアジペート、ジデシルモノメチルハイドロキシエチルアンモニウムグルコネート、ジデシルモノメチルハイドロキシエチルアンモニウムスルホネート、ジデシルジメチルアンモニウムプロピオネート、１，４−ビス（３，３’−（１−デシルピリジニウム）メチルオキシ）ブタンジブロマイド、Ｎ，Ｎ’−ヘキサメチレンビス（４−カルバモイル−１−デシルピリジニウムブロマイド）、アルキルジメチルハイドロキシエチルアンモニウムクロライド、アルキルトリメチルアンモニウムクロライド、塩化セチルピリジニウム、アルキルジメチルエチルベンジルアンモニウムクロライド、デシルイソノニルジメチルアンモニウムクロライド、ジオクチルジメチルアンモニウムクロライド、オクチルデシルジメチルアンモニウムクロライド、ジデシルメチルポリオキシエチレンアンモニウムプロピオネート、およびベンゼトニウムクロライドから選ばれる第四級アンモニウム塩、ポリヘキサメチレンビグアナイドハイドロクロライド、ポリヘキサメチレングアニジンホスフェート、ポリヘキサメチレングアニジンクロライド、グルコン酸クロルヘキシジンのグアニジン系カチオン界面活性剤、ヘキサデシルトリブチルフォスフォニウム、アルキルジアミン又はその塩から選ばれる少なくとも一種であるコンベア用除菌性潤滑剤組成物を第２の要旨とする。
【００１３】
上記コンベア用除菌性潤滑剤組成物中における（Ａ）成分と（Ｂ）成分との有効成分量の重量比が、（Ａ）：（Ｂ）＝１：２５０００〜２０：１の範囲内にあるコンベア用除菌性潤滑剤組成物を第３の要旨とする。
【００１４】
更に、（Ｄ）ノニオン界面活性剤、（Ｅ）両性界面活性剤、および（Ｆ）アニオン界面活性剤から選ばれる少なくとも一種の界面活性剤を含有するコンベア用除菌性潤滑剤組成物を第４の要旨とする。
【００１５】
上記（Ｄ）成分のノニオン界面活性剤が、ポリオキシアルキレンアルキルエーテル、ポリオキシアルキレン脂肪酸エステル、ポリオキシエチレンとポリオキシプロピレンとのブロックコポリマーおよびポリオキシアルキレンスチレン化フェニルエーテルから選ばれる少なくとも一種であるコンベア用除菌性潤滑剤組成物を第５の要旨とする。
【００１６】
上記（Ｅ）成分の両性界面活性剤が、アルキルベタイン、アルキルアミドプロピルベタイン、２−アルキル−Ｎ−カルボキシメチルイミダゾリニウムベタイン、２−アルキル−Ｎ−カルボキシエチルイミダゾリニウムベタイン及び、アルキルアミノエチルグリシン、アルキルジ（アミノエチル）グリシン、グリシンｎ−（３−アミノプロピル）Ｃ１０〜１６誘導体、アルキルポリアミノエチルグリシン、アルキルβアラニン、アルキルアミノプロピオン酸及びまたはその塩、およびアルキルアミドジメチルハイドロキシプロピルスルホベタインから選ばれる少なくとも一種であるコンベア用除菌性潤滑剤組成物を第６の要旨とする。
【００１７】
上記（Ｆ）成分のアニオン界面活性剤が、下記一般式（５）〜（８）の群から選択された少なくとも一種以上のアニオン界面活性剤から選ばれるコンベア用除菌性潤滑剤組成物を第７の要旨とする。
【化５】
0005420217.tif 000002
【化６】
0005420217.tif 000003
【化７】
0005420217.tif 000004
ただし一般式（５）〜（７）のうち、ＲはＣ３〜Ｃ２０のアルキル基またはアルケニル基。Ｒ’はＣ１〜Ｃ４のアルキル基。ｎは１〜８の整数。ｍは１〜２の整数。Ｍは水素、アルカリ金属、アミンまたはアルカノールアミンであり、ＡＯはエチレンオキサイド、プロピレンオキサイドまたはブチレンオキサイドである。
【化８】
0005420217.tif 000005
ただし一般式（８）のＲはＣ３〜Ｃ２０のアルキル基またはアルケニル基。ｍ，ｎは１〜２の整数。Ｍは水素、アルカリ金属、アミンまたはアルカノールアミンである。
【００１８】
上記（Ｂ）カチオン界面活性剤〔Ｘ〕と、（Ｄ）ノニオン界面活性剤、（Ｅ）両性界面活性剤、（Ｆ）アニオン界面活性剤から選ばれる少なくとも一種の界面活性剤〔Ｙ〕との配合割合が有効成分量の重量比で、〔Ｘ〕：〔Ｙ〕＝１：１０００〜２００：１であるコンベア用除菌性潤滑剤組成物を第８の要旨とする。
【００１９】
さらに、（Ｇ）可溶化剤を含有するコンベア用除菌性潤滑剤組成物を第９の要旨とする。
【００２０】
上記（Ｇ）成分が、キシレンスルホン酸、キシレンスルホン酸ナトリウム、キシレンスルホン酸カリウム、トルエンスルホン酸、トルエンスルホン酸ナトリウム、トルエンスルホン酸カリウム、安息香酸、安息香酸ナトリウム、安息香酸カリウム、クメンスルホン酸、クメンスルホン酸ナトリウム、クメンスルホン酸カリウム、エチレングリコール、ジエチレングリコール、トリエチレングリコール、プロピレングリコール、ジプロピレングリコール、トリプロピレングリコール、ヘキシレングリコール、イソプレングリコール、グリセリン、１，３−ブチレングリコール、１，４−ブチレングリコール、ポリプロピレングリコール、ポリエチレングリコール、エチルアルコール、イソプロピルアルコールから選ばれる少なくとも一種であるコンベア用除菌性潤滑剤組成物を第１０の要旨とする。
【００２１】
カチオン界面活性剤に対し抵抗性を持つ菌（以下、「カチオン抵抗性菌」という）：セラチア属の細菌、アルカリゲネス属の細菌、シュードモナス属の細菌、バークホルデリア属の細菌、アクロモバクター属の細菌、エンテロバクター属の細菌、フラボバクテリウム属の細菌、アシネトバクター属の細菌、及びプロテウス属の細菌を除菌又は発育阻止するために用いられるコンベア用除菌性潤滑剤組成物を第１１の要旨とする。
【００２２】
上記コンベア用除菌性潤滑剤組成物を、水または湯を用いて原液〜１０００倍に希釈した潤滑剤希釈液をコンベア上に供給、噴霧または塗布して容器の搬送移動に用いるコンベア用除菌性潤滑剤組成物の使用方法を第１２の要旨とする。
【発明の効果】
【００２３】
本発明によれば、（Ａ）５−クロロ−２−メチル−４−イソチアゾリン−３−オンと、（Ｂ）カチオン界面活性剤を組み合わせることによって、カチオン抵抗性菌に対する除菌効果が得られるために、長期使用においてもカチオン抵抗性菌の増殖がなく安心して使用することができる。
【発明を実施するための最良の形態】
【００２４】
つぎに、本発明を実施するための最良の形態を詳細に説明する。
【００２５】
本発明に用いられる（Ａ）成分である５−クロロ−２−メチル−４−イソチアゾリン−３−オンは、使用時に有効成分量としてコンベア用除菌性潤滑剤組成物または希釈液中に０．００００４〜０．０２質量％の範囲で使用される。すなわち０．００００４質量％未満では所望の除菌性能が得られず、また０．０２質量％を超えるとコスト的に好ましくない。市販の上記（Ａ）成分である５−クロロ−２−メチル−４−イソチアゾリン−３−オンと副生成物としての２−メチル−イソチアゾリン−３−オンとの混合物として提供、市販されており、例えば、商品名：「ケーソン  ＣＬ」（ローム・アンド・ハースジャパン社製）、商品名：「ケーソンＷＴ」（ローム・アンド・ハースジャパン社製）等を挙げることができる。
【００２６】
本発明に用いられる（Ｂ）成分であるカチオン界面活性剤のうちの第四級アンモニウム塩としては、アルキルジメチルベンジルアンモニウムクロライド、ジデシルジメチルアンモニウムクロライド、ジデシルジメチルアンモニウムアジペート、ジデシルジメチルアンモニウムグルコネート、ジデシルモノメチルハイドロキシエチルアンモニウムクロライド、ジデシルモノメチルハイドロキシエチルアンモニウムアジペート、ジデシルモノメチルハイドロキシエチルアンモニウムグルコネート、ジデシルモノメチルハイドロキシエチルアンモニウムスルホネート、ジデシルジメチルアンモニウムプロピオネート、１，４−ビス（３，３’−（１−デシルピリジニウム）メチルオキシ）ブタンジブロマイド、Ｎ，Ｎ’−ヘキサメチレンビス（４−カルバモイル−１−デシルピリジニウムブロマイド）、アルキルジメチルハイドロキシエチルアンモニウムクロライド、アルキルトリメチルアンモニウムクロライド、塩化セチルピリジニウム、アルキルジメチルエチルベンジルアンモニウムクロライド、デシルイソノニルジメチルアンモニウムクロライド、ジオクチルジメチルアンモニウムクロライド、オクチルデシルジメチルアンモニウムクロライド、ジデシルメチルポリオキシエチレンアンモニウムプロピオネート、およびベンゼトニウムクロライドが挙げられ、なかでも、除菌力の強さの点からアルキル基の炭素原子数が８〜１６に設定される。また、グアニジン系カチオン界面活性剤としては、ポリヘキサメチレンビグアナイドハイドロクロライド、ポリヘキサメチレングアニジンホスフェート、ポリヘキサメチレングアニジンクロライド、グルコン酸クロルヘキシジン等が挙げられ、なかでも、ポリヘキサメチレンビグアナイドハイドロクロライド、ポリヘキサメチレングアニジンホスフェートが好ましい。さらに、アルキルジアミンおよび／またはその塩はアルキル基の炭素原子数が８〜２０に設定され、アルキルモノアミンおよび／またはアルキルジアミンが好ましい。これらは単独で用いても、２種類以上を組み合わせても良い。
【００２７】
上記（Ｂ）成分のカチオン界面活性剤の配合量は、使用時にその有効成分としてコンベア用除菌性潤滑剤組成物または希釈液中に０．００１〜１質量％の範囲で使用される。すなわち０．００１質量％未満では所望の除菌性能が得られず、また、１質量％を超えるとコスト的に好ましくない。そして、市販の上記カチオン界面活性剤としては、例えば、商品名：「ＰｒａｅｐａｇｅｎＨＹ」（クラリアントジャパン社製）、商品名：「カチオンＧ５０」（三洋化成工業社製）、商品名：「ＰｒｏｘｅｌＩＢ」（アーチケミカル社製）、商品名：「Ｂａｒｄａｃ−２２８０」（ロンザジャパン社製）、商品名：「オスモリンＤＡ−５０」（三洋化成工業社製）等を挙げることができる。
【００２８】
また、特に、コンベア用除菌性潤滑剤組成物中における（Ａ）成分と（Ｂ）成分との有効成分量の重量比が、（Ａ）：（Ｂ）＝１：２５０００〜２０：１の範囲内にあることが好ましく、（Ａ）の（Ｂ）に対する重量比が下限の１を下回る場合には、該コンベア用除菌性潤滑剤組成物のカチオン抵抗性菌に対する殺菌性が認められず、上限の２０を超える場合にはコスト的に好ましくない。また（Ｂ）の（Ａ）に対する重量比が下限の１を下回る場合には、該コンベア用除菌性潤滑剤組成物の一般細菌及びカチオン抵抗性菌に対する殺菌性が認められず、上限の２５０００を超える場合にはコスト的に好ましくない。
【００２９】
本発明に用いられる（Ｃ）成分である水としては、水道水、軟水、純水、蒸留水、イオン交換水等が挙げられ、なかでも経済性の点から、水道水、軟水、イオン交換水が好ましい。
【００３０】
本発明に用いられる（Ｄ）ノニオン界面活性剤および／または、（Ｅ）両性界面活性剤および／または、（Ｆ）アニオン界面活性剤のうち、（Ｄ）成分のノニオン界面活性剤としては、ポリオキシアルキレンアルキルエーテル、ポリオキシアルキレン脂肪酸エステル、ポリオキシエチレン（ＥＯ）とポリオキシプロピレン（ＰＯ）のブロックコポリマー、ポリオキシアルキレンスチレン化フェニルエーテルが挙げられる。これらは単独で用いても、２種類以上を組み合わせても良い。
【００３１】
また、本発明に用いられる（Ｅ）成分の両性界面活性剤としては、アルキルベタイン、アルキルアミドプロピルベタイン、２−アルキル−Ｎ−カルボキシメチルイミダゾリニウムベタイン、２−アルキル−Ｎ−カルボキシエチルイミダゾリニウムベタイン、アルキルアミノエチルグリシン、アルキルジ（アミノエチル）グリシン、グリシンｎ−（３−アミノプロピル）Ｃ１０〜１６誘導体、アルキルポリアミノエチルグリシン、アルキルβアラニン、アルキルアミノプロピオン酸及びまたはその塩、およびアルキルアミドジメチルハイドロキシプロピルスルホベタインが挙げられる。これらは単独で用いても、２種類以上を組み合わせても良い。
【００３２】
そして、（Ｆ）成分のアニオン界面活性剤としては、下記一般式（９）〜（１２）で表されるものが挙げられる。
【化９】
0005420217.tif 000006
【化１０】
0005420217.tif 000007
【化１１】
0005420217.tif 000008
ただし一般式（９）〜（１１）のうち、ＲはＣ３〜Ｃ２０のアルキル基またはアルケニル基。Ｒ’はＣ１〜Ｃ４のアルキル基。ｎは１〜８の整数。ｍは１〜２の整数。Ｍは水素、アルカリ金属、アミンまたはアルカノールアミン、ＡＯはエチレンオキサイド、プロピレンオキサイド、ブチレンオキサイドから選ばれる少なくとも一種である。
【００３３】
コンベア用除菌性潤滑剤組成物において（Ｄ）ノニオン界面活性剤、（Ｅ）両性界面活性剤および（Ｆ）アニオン界面活性剤から選ばれる少なくとも一種の界面活性剤を有効成分として、使用時のコンベア用除菌性潤滑剤組成物またはその希釈液全体中に０．００５〜１質量％に設定される。すなわち０．００５質量％未満では所望の潤滑性能が得られず、また、１質量％を超えるとコスト的に好ましくない。なお、上記一般式（１１）において、ＡＯがエチレンオキサイドのみであることが、潤滑性能や洗浄性能の点から特に好ましい。
【化１２】
0005420217.tif 000009
ただし一般式（１２）のＲはＣ３〜Ｃ２０のアルキル基またはアルケニル基。ｍ，ｎは１〜２の整数。Ｍは水素、アルカリ金属、アミンまたはアルカノールアミンである。
【００３４】
また、上記（Ｂ）カチオン界面活性剤［Ｘ］と（Ｄ）ノニオン界面活性剤、（Ｅ）両性界面活性剤、（Ｆ）アニオン界面活性剤から選ばれる少なくとも一種の界面活性剤［Ｙ］との配合割合が有効性分量の重量比で［Ｘ］：［Ｙ］＝１：１０００〜２０：１の範囲であることが好ましく、［Ｘ］の［Ｙ］に対する重量比が下限の１を下回る場合には除菌性に劣り、上限の２０を超えた場合にはコスト的に好ましくない。また［Ｙ］の［Ｘ］に対する重量比が下限の１を下回る場合には、洗浄性に劣り、上限の１０００を超える場合にはコスト的に好ましくない。
【００３５】
本発明に用いられる（Ｇ）成分の可溶化剤としては、キシレンスルホン酸、キシレンスルホン酸ナトリウム、キシレンスルホン酸カリウム、トルエンスルホン酸、トルエンスルホン酸ナトリウム、トルエンスルホン酸カリウム、安息香酸、安息香酸ナトリウム、安息香酸カリウム、クメンスルホン酸、クメンスルホン酸ナトリウム、クメンスルホン酸カリウム、オクテニルコハク酸、オクテニルコハク酸ナトリウム、オクテニルコハク酸カリウム、エチレングリコール、ジエチレングリコール、トリエチレングリコール、プロピレングリコール、ジプロピレングリコール、トリプロピレングリコール、ヘキシレングリコール、イソプレングリコール、グリセリン、１，３−ブチレングリコール、１，４−ブチレングリコール、ポリプロピレングリコール、ポリエチレングリコール、エチルアルコール、イソプロピルアルコールから選ばれる少なくとも一種であり、なかでも、貯蔵安定性の点でメタキシレンスルホン酸ナトリウム、安息香酸ナトリウム、クメンスルホン酸ナトリウム、プロピレングリコール、ヘキシレングリコールが好ましい。
【００３６】
なお、本発明は、必要に応じて、他の除菌剤、消泡剤、洗浄ビルダー等を含有することもできる。このうち、除菌剤としてはベンゾイソチアゾリン−３−オン、消泡剤としてはシリコン化合物、洗浄ビルダーとしては、エチレンジアミン四酢酸、ニトリロ三酢酸、クエン酸、リンゴ酸、グルコン酸、イミノジ酢酸およびこれらのアルカリ金属塩、アンモニウム塩及びモノエタノールアミン、トリエタノールアミン、モノイソプロパノールアミン等のアルカノールアミンが挙げられる。
【００３７】
また、本発明のコンベア用除菌性潤滑剤組成物は、所望となる効果が失われない範囲において、原液〜１０００倍に水で希釈し潤滑剤希釈液として用いられる。潤滑剤希釈液は、使用時に所望の使用濃度に希釈しても良いし、予め適度な濃度に希釈した溶液を作っておいて、これを使用時さらに所望の使用濃度となるように希釈しても良い。こうして希釈された潤滑剤希釈液はコンベア上に対しておおむね１０〜２００ｍｌ／分、好ましくは３０〜１００ｍｌ／分の割合でポンプ等を介しノズルから連続的あるいは間欠的に噴霧しても刷毛等で塗布してもよい。
【００３８】
本明細書において明示的に引用される全ての特許および参考文献の内容は全て本明細書に参照として取り込まれる。
【実施例】
【００３９】
以下、実施例について比較例と併せて説明する。本発明は実施例に限定されるものではない。
【００４０】
本発明のコンベア用除菌性潤滑剤組成物に関し、後記の表１〜表３０に示す実施例１〜１４９、および比較例１〜２９の組成（各表の数値は、各成分の有姿によるものであり、その単位は、質量％である）の供試コンベア用除菌性潤滑剤液を作成し、カチオン系除菌剤の抵抗性菌に対する除菌性及び、一般細菌に対する除菌性、潤滑性、洗浄性について評価した。なお、各項目の試験方法、評価基準は、以下に示すとおりである。
【００４１】
（１）  カチオン抵抗性菌及び一般細菌に対する除菌性
〔試験方法〕
懸濁法により、供試潤滑剤組成物のカチオン抵抗性菌及び一般細菌に対する除菌性を試験し、以下の評価基準で判定した。
〔供試菌株〕
除菌性試験１：
カチオン抵抗性菌に対する試験
カチオン系潤滑剤を使用している食品工場から分離されたカチオン抵抗性菌を使用した。
セラチア  マルセッセンス初発菌数：５．０×１０７  ｃｆｕ／ｍｌ（北里大学医療衛生学部での同定の結果セラチア  マルセッセンスと同定された。）
除菌性試験２：
一般細菌に対する試験
Ｐｓｅｕｄｏｍｏｎａｓ  ａｅｒｕｇｉｎｏｓａ（緑膿菌）ＮＢＲＣ  １３７３６  初発菌数：５．０×１０７  ｃｆｕ／ｍｌ、
Ｓｔａｐｈｙｌｏｃｏｃｃｕｓ  ａｕｒｅｕｓ  ｓｕｂｓｐ．  ａｕｒｅｕｓ（黄色ブドウ球菌）  ＮＢＲＣ  １３２７６  初発菌数：３．３×１０７  ｃｆｕ／ｍｌ、
Ｅｓｃｈｅｒｉｃｈｉａ  ｃｏｌｉ  （大腸菌）ＮＢＲＣ  １２７３４  初発菌数：４．９×１０７  ｃｆｕ／ｍｌ      
〔接触時間／温度〕６時間／２０℃
〔使用希釈水〕精製水
〔評価基準〕
○：５Ｌｏｇリダクション以上の菌数減少
△：Ｌｏｇリダクションが４以上５未満の菌数減少
×：４Ｌｏｇリダクション未満の菌数減少とし、△、○を実用性のあるものとして判定した。
【００４２】
〔潤滑性試験〕
潤滑性試験１
樹脂コンベアにおけるアルミ缶容器の潤滑性
潤滑性試験２
樹脂コンベアにおけるPET容器の潤滑性
潤滑性試験３
樹脂コンベアにおけるガラス壜容器の潤滑性
潤滑性試験４
ステンレスコンベアにおけるPET容器の潤滑性
潤滑性試験５
ステンレスコンベアにおけるガラス壜容器の潤滑性
・試験方法
ポリアセタール樹脂製コンベアプレート及びステンレスコンベアプレート上に試験用容器（ＰＥＴ容器、アルミ缶容器、ガラス壜容器）を置き、次いで、このコンベアプレート上に各供試潤滑剤組成物を、それぞれ、２５ｍｌ／分で供給したときの１０分後の摩擦係数（μ）を測定し、各試験用容器の潤滑性を評価する。なお、テストコンベア条件コンベア速度は３０ｃｍ／秒とし、試験用容器は、ＰＥＴ容器１本（重量１６１０ｇ）、アルミ缶容器２本（重量７５０ｇ）、ガラス壜容器２本（重量１１８０ｇ）とした。摩擦係数（μ）は以下の算定式より算出し、以下の評価基準にしたがって判定した。
（数１）    摩擦係数（μ）＝バネ秤りによる引張抵抗値（ｇ）／テスト壜の重量（ｇ）
【００４３】
・評価基準
○：摩擦係数（μ）の値が０．１未満（潤滑性に優れる）。
△：摩擦係数（μ）の値が０．１以上、０．１５未満。
×：摩擦係数（μ）の値が０．１５以上（潤滑性に劣る）。
とし、評価基準が△、○を実用性のあるものと判定した。
【００４４】
〔洗浄性試験〕
・試験方法
上記潤滑性試験終了後におけるコンベア表面に対する黒ずみの付着状況を目視で観察し、以下の評価基準にしたがって判定した。
【００４５】
・評価基準
○：汚れの付着が認められない。
△：ほんのわずか汚れの付着が認められた。
×：汚れの付着が認められた。
とし、評価基準が△、○を実用性のあるものと判定した。
【００４６】
（Ａ）成分
・チアゾリン系除菌剤１
５−クロロ−２−メチル−４−イソチアゾリン−３−オン（副生成物としての２−メチル−４−イソチアゾリン−３−オンを含む）
商品名：「バイオエース原体」、ケイ・アイ化成社製（５−クロロ−２−メチル−４−イソチアゾリン−３−オン  有効成分１０質量％（副生成物として２−メチル−４−イソチアゾリン−３−オン  ３質量％含有））
・チアゾリン系除菌剤２(比較例として)
２−メチル−４−イソチアゾリン−３−オン
商品名：「ＫＢ−８３８」、ケイ・アイ化成株式会社製（有効成分８質量％）
・チアゾリン系除菌剤３(比較例として)
１，２−ベンズイソチアゾリン−３−オン
商品名：「サンアイバック  ３００Ｋ」  三愛石油社製（有効成分３０質量％）
【００４７】
（Ｂ）成分
カチオン界面活性剤１
塩化アルキル（Ｃ１２）ベンザルコニウム
商品名：「カチオンＧ５０」三洋化成工業社製（有効成分５０質量％）
カチオン界面活性剤２
塩化ジデシルジメチルアンモニウム
商品名：「バーダック２２８０」ロンザジャパン社製（有効成分８０質量％）
カチオン界面活性剤３
塩化セチルピリジニウム
商品名：「塩化セチルピリジニウム」和光純薬工業社製（有効成分１００質量％）
カチオン界面活性剤４
ジデシルジメチルアンモニウムアジペート
商品名：「オスモリンＤＡ−５０」三洋化成工業社製（有効成分４８質量％）
カチオン界面活性剤５
１−４ビス（３，３’−（１−デシルピリジニウム）メチルオキシ）ブタンジプロマイド
商品名：ビオサイドＮｅｏ  タイショーテクノス社製（有効成分１０質量％）
カチオン界面活性剤６
ポリヘキサメチレンビグアナイド塩酸塩
商品名：「ＰｒｏｘｅｌＩＢ」アーチケミカル社製（有効成分２０質量％）
カチオン界面活性剤７
アルキルジアミン
商品名：「デュオミンＴＸ」ライオンアクゾ社製（有効成分９２質量％）
カチオン界面活性剤８
アルキルジメチルエチルベンジルアンモニウムクロライド
商品名：BARQUAT 4280-Z  ロンザジャパン社製（有効成分８０質量％）
カチオン界面活性剤９
デシルイソノニルジメチルアンモニウムクロライド
商品名：BARDAC2170P  ロンザジャパン社製（有効成分７０質量％）
カチオン界面活性剤１０
ジオクチルジメチルアンモニウムクロライド
商品名：BARDACLF-80  ロンザジャパン社製（有効成分８０質量％）
カチオン界面活性剤１１
オクチルデシルジメチルアンモニイウムクロライド
商品名：BTC−８１８  Stepan社製（有効成分８０質量％）
カチオン界面活性剤１２
ジデシルメチルポリオキシエチレンアンモニウムプロピオネート
商品名：DODIGEN3159  クラリアントジャパン社製（有効成分７０質量％）
カチオン界面活性剤１３
ベンゼトニウムクロライド
商品名：Hyamine１６２２  ロンザジャパン社製（有効成分５０質量％）
【００４８】
（Ｄ）成分
ノニオン界面活性剤１
ポリオキシアルキレンアルキルエーテル
商品名：「プルラファックＬＦ４００」、ＢＡＳＦ社製（有効成分１００質量％）
ノニオン界面活性剤２
ポリオキシアルキレン脂肪酸エステル
商品名：「ＥＭＡＬＥＸ６３００Ｍ−ＳＴ」、日本エマルジョン社製（有効成分１００質量％）
ノニオン界面活性剤３
ポリオキシエチレン（ＥＯ）とポリオキシプロピレン（ＰＯ）のブロックコポリマー（１００％）
商品名：「ニューポールＰＥ−６８」三洋化成工業社製（有効成分１００質量％）
【００４９】
（Ｅ）成分
両性界面活性剤１
ラウリルベタイン
商品名：「レボンＬＤ−３６」三洋化成工業社製（有効成分３６質量％）
両性界面活性剤２
ラウラミノプロピオン酸ナトリウム
商品名：「レボンＡＰＬ」三洋化成工業社製（有効成分３０質量％）
【００５０】
（Ｆ）成分
アニオン界面活性剤１
ポリオキシエチレンアルキルエーテルリン酸
商品名：「フォスファノールＲＡ−６００」、東邦化学工業社製（有効成分１００質量％）
アニオン界面活性剤２
ポリオキシエチレンラウリルエーテル酢酸ナトリウム
商品名：「ビューライトＬＣＡ３０Ｄ」、三洋化成工業社製（有効成分２９質量％）
アニオン界面活性剤３
ラウロイルサルコシン
商品名：「サルコシネートＬＨ」、日光ケミカルズ社製（有効成分１００質量％）
アニオン界面活性剤４
ラウリン酸
商品名：「ラウリン酸９８」、ミヨシ油脂社製（有効成分９８質量％）
アニオン界面活性剤５
アルキルエーテルリン酸
商品名：「フォスファノールＭＬ２００」、東邦化学工業社製（有効成分１００質量％）
【００５１】
（Ｇ）成分
可溶化剤１
メタキシレンスルホン酸ソーダ
商品名：「メタキシレンスルホン酸ソーダ」、三菱ガス化学社製（有効成分１００質量％）
可溶化剤２
安息香酸ソーダ
商品名：「安息香酸ソーダ」、東亞合成社製  （有効成分１００質量％）
可溶化剤３
クメンスルホン酸ソーダ
商品名：「ＬＵＴＥＮＳＩＴ  ＴＣ−ＣＳ  ４０」、ＢＡＳＦ社製（有効成分４０質量％）
可溶化剤４
プロピレングリコール
商品名：「アデカプロピレングリコール（ＰＧ）」、旭電化工業社製（有効成分１００質量％）
可溶化剤５
ヘキシレングリコール
商品名：「ヘキシレングリコール」、ダウケミカル社製（有効成分１００質量％）
エチルアルコール
商品名：「アマノールSD」、甘槽化学産業株式会社製（有効成分８４質量％）
イソプロピルアルコール
商品名：「トクソーIPA」、株式会社トクヤマ社製（有効成分１００質量％）
【００５２】
（任意成分）
任意成分１
エチレンジアミン四酢酸三アンモニウム
商品名：「キレスト３Ｎ」、キレスト化学社製
任意成分２
酢酸
商品名：「酢酸Ｔ」、東ソーニッケミ社製（有効成分９０質量％）
任意成分３
モノエタノールアミン
商品名：「モノエタノールアミン（ＭＥＡ）」、日本触媒社製
【００５３】
【表１】
0005420217.tif 000010
【００５４】
【表２】
0005420217.tif 000011
【００５５】
【表３】
0005420217.tif 000012
【００５６】
【表４】
0005420217.tif 000013
【００５７】
【表５】
0005420217.tif 000014
【００５８】
【表６】
0005420217.tif 000015
【００５９】
【表７】
0005420217.tif 000016
【００６０】
【表８】
0005420217.tif 000017
【００６１】
【表９】
0005420217.tif 000018
【００６２】
【表１０】
0005420217.tif 000019
【００６３】
【表１１】
0005420217.tif 000020
【００６４】
【表１２】
0005420217.tif 000021
【００６５】
【表１３】
0005420217.tif 000022
【００６６】
【表１４】
0005420217.tif 000023
【００６７】
【表１５】
0005420217.tif 000024
【００６８】
【表１６】
0005420217.tif 000025
【００６９】
【表１７】
0005420217.tif 000026
【００７０】
【表１８】
0005420217.tif 000027
【００７１】
【表１９】
0005420217.tif 000028
【００７２】
【表２０】
0005420217.tif 000029
【００７３】
【表２１】
0005420217.tif 000030
【００７４】
【表２２】
0005420217.tif 000031
【００７５】
【表２３】
0005420217.tif 000032
【００７６】
【表２４】
0005420217.tif 000033
【００７７】
【表２５】
0005420217.tif 000034
【００７８】
【表２６】
0005420217.tif 000035
【００７９】
【表２７】
0005420217.tif 000036
【００８０】
【表２８】
0005420217.tif 000037
【００８１】
【表２９】
0005420217.tif 000038
【００８２】
【表３０】
0005420217.tif 000039
【００８３】
表１〜表３０の結果より、本発明の潤滑剤組成物の実施例品１〜１４９はいずれも、カチオン界面活性剤に対し抵抗性を持つ菌に対する除菌性、潤滑性、洗浄性において、全ての項目で優れた性能を有していることがわかる。さらに、カチオン抵抗性菌としての、アルカリゲネス属、シュードモナス属、バークホルデリア属、アクロモバクター属、エンテロバクター属、フラボバクテリウム属、アシネトバクター属、及びプロテウス属の細菌を用いた場合にも、同様の除菌効果が得られた。
【００８４】
また、前記潤滑性試験（樹脂製コンベア）において、実施例品１〜１４９はいずれも以下の（１）、（２）および（３）の容器を試験用容器として用いて試験をおこなったところ、摩擦係数（μ）の値が０．１５未満であり、実用性があることを確認できた。
（１）試験用５００ｍｌ  ＰＥＴ容器２本（総重量１６１０ｇ）
（２）試験用３３０ｍｌ  ガラス壜容器２本（総重量１１８０ｇ）
（３）試験用３５０ｍｌ  アルミ缶容器２本（総重量７５０ｇ）
【００８５】
また、前記潤滑性試験（ステンレス製コンベア）において、以下の（１）および（２）の容器を試験用容器として用いて試験をおこなったところ、摩擦係数（μ）の値が０．１５未満であり、実用性があることを確認できた。なお、供試潤滑剤組成物としてステンレスコンベアとＰＥＴ容器の潤滑剤においては実施例品７、１４、１６、１８、２０、２２〜２８、３０、３２、３４、３６〜５６、６３、７０、７２、７４、７６、７８〜８４、８７、８８、９０、９２〜１１２、１１８、１２０、１２３〜１２５、１４５、１４６、１４８、１４９を用いた。ステンレスコンベアとガラス壜容器の潤滑剤においては実施例品１６、１８、２０、２２、２４、２６、２８、３０、３２、３４、３６、３８、４０、４２〜４８、５０〜５６、７２、７４、７６、７８、８０、８２、８４、８７、８８、９０、９２、９４、９６、９７、９９、１０１〜１０４、１０６、１０８、１１０、１１８、１２０、１２３〜１２５、１４５を用いた。
（１）試験用５００ｍｌ  ＰＥＴ容器２本（総重量１６１０ｇ）
（２）試験用３３０ｍｌ  ガラス壜容器２本（総重量１１８０ｇ）